(57)【要約】【課題】ユーザが指定したインターネット上のサービスコンテンツ情報を当該ユーザが指定した他のユーザに同期配信することにより、ユーザへの共有環境の提供および一体感の向上を目指して同一性、同期性、即時性の環境を提供する情報同期配信サービスを提供する。【解決手段】ＩＰ網上に情報同期配信支援サブシステムを設け、インターネット上のサービスコンテンツ情報を情報同期配信支援サブシステムにダウンロードしてから、該情報をサービス共有ユーザの情報通信端末に同時配信する。【選択図】        図４
2004310412.tif 000002
【特許請求の範囲】
【請求項１】
ＩＰ網に接続された複数の情報通信端末のユーザが、前記ＩＰ網に接続されたサービス提供プロバイダが提供するアプリケーションサーバからサービスアプリケーションの情報を取得して同じサービスを同じ時間に共有するインターネットによる情報配信サービスシステムであって、当該情報配信サービスシステムは前記ＩＰ網に接続される情報同期配信支援サブシステムを含み、該情報同期配信支援サブシステムは、前記ユーザの情報通信端末からの相手先端末のアドレスや前記サービス提供プロバイダのアドレスを受け付けて互いに接続する通信サーバ接続手段およびサービスアプリケーションの情報をダウンロードする手段を有しているアドレス受付機能と、前記アプリケーションサーバからダウンロードした情報をサービス共有ユーザの情報通信端末に同時配信する情報配信機能とを備え、前記各ユーザの情報通信端末は、自端末及び他の情報通信端末に対する前記情報同期配信支援サブシステムからの情報配信制御形態を当該情報通信端末の画面上から選択できることを特徴とする情報同期配信サービスシステム。
【請求項２】
前記情報通信端末は、自端末の表示画面上で前記配信制御形態として、主導モード、協調モードおよびデュアルモードを含む複数のモード形態からいずれかを選択できることを特徴とする請求項１に記載の情報同期配信サービスシステム。
【請求項３】
前記情報通信端末は、自端末で指定した配信制御形態で自端末を含む複数の情報通信端末の画面上で同時に前記自端末が指定した提案サービスが提供されることを特徴とする請求項２に記載の情報同期配信サービスシステム。
【請求項４】
前記情報同期配信支援サブシステムが情報同期配信向けサービスロケーション情報データベースも備え、該データベースからの情報がサービス共有ユーザの各情報通信端末に同時配信されることを特徴とする請求項請求項１〜３のいずれか一項に記載の情報同期配信サービスシステム。
【請求項５】
前記情報同期配信支援サブシステムが課金サーバ機能も備え、該課金サーバ機能が請求項１から請求項３のいずれかに記載の情報同期配信サービスに対するサービス課金を行うことを特徴とする請求項１〜４のいずれか一項に記載の情報同期配信サービスシステム。
【請求項６】
前記各ユーザの情報通信端末のサービス画面には広告が含まれ、該広告に広告事業者のＩＤを割り振り、前記課金サーバによってＩＤ毎にサービス画面への登場回数を集計し、任意の周期で、前記集計値から広告料を計算し、広告事業者指定の決済システムに広告料を請求することを特徴とする請求項５に記載の情報同期配信サービスシステム。
【請求項７】
ＩＰ網に接続された複数の情報通信端末のユーザが、前記ＩＰ網に接続されたサービス提供プロバイダが提供するアプリケーションサーバから情報を取得して同じサービスを同じ時間に共有するインターネットによる情報配信サービス方法であって、前記ＩＰ網には、前記ユーザの情報通信端末からの相手先端末のアドレスや前記サービス提供プロバイダのアドレスを受け付けて互いに接続する通信サーバ接続手段およびサービスアプリケーションの情報をダウンロードする手段を有しているアドレス受付機能と、情報同期配信向けサービスロケーション情報データベースと、前記アプリケーションサーバからあるいは情報同期配信向けサービスロケーション情報データベースからダウンロードした情報をサービス共有ユーザの情報通信端末に同時配信する情報配信機能とを備えている情報同期配信支援サブシステムが接続されており、前記情報通信端末は、自端末および他の情報通信端末に対する前記情報同期配信支援サブシステムからの情報配信制御形態を当該所通信端末の画面上から選択するステップと、前記情報配信制御形態を画面上から指定して当該情報通信端末を含む複数の情報通信端末の画面上で当該情報通信端末が指定した提案サービスを同時に受けるステップと、を含むことを特徴とする情報同期配信サービス方法。
【請求項８】
前記情報同期配信支援サブシステムが課金サーバ機能も備え、該課金サーバ機能が請求項７に記載の情報同期配信サービスに対するサービス課金を行うステップと、前記課金サーバ機能によって集計されたサービスの量に対する対価としての代金のやり取りが広告主と当該サービスの提供者間で行うステップと、を含むことを特徴とする請求項７に記載の情報同期配信サービス方法。
【請求項９】
ＩＰ網に接続された複数の情報通信端末のユーザが、前記ＩＰ網に接続された情報同期配信支援サブシステムを介して、同じく前記ＩＰ網に接続されたアプリケーションサーバから情報を取得して同じサービスを同じ時間に共有するインターネットによる情報同期配信サービスのための処理をコンピュータに実行させるためのプログラムであって、前記情報通信端末が、自端末および他の情報通信端末に対する前記情報同期配信支援サブシステムからの情報配信制御形態を当該所通信端末の画面上から選択するための処理と、前記情報配信制御形態を画面上から指定して当該情報通信端末を含む複数の情報通信端末の画面上で当該情報通信端末が指定した提案サービスを同時に受けるための処理と、をコンピュータに実行させるためのプログラム。
【請求項１０】
ＩＰ網に接続された複数の情報通信端末のユーザが、前記ＩＰ網に接続された情報同期配信支援サブシステムを介して、同じく前記ＩＰ網に接続されたアプリケーションサーバから情報を取得して同じサービスを同じ時間に共有するインターネットによる情報同期配信サービスのための処理をコンピュータに実行させるためのプログラムを記録した記録媒体であって、前記情報通信端末が、自端末および他の情報通信端末に対する前記情報同期配信支援サブシステムからの情報配信制御形態を当該所通信端末の画面上から選択するための処理と、前記情報配信制御形態を画面上から指定して当該情報通信端末を含む複数の情報通信端末の画面上で当該情報通信端末が指定した提案サービスを同時に受けるための処理と、をコンピュータに実行させるためのプログラムを記録した記録媒体。
【発明の詳細な説明】
【０００１】
【発明の属する技術分野】
本発明は、複数の情報通信端末の各ユーザが同じサービスを同じ時間に共有するインターネットによる情報同期配信サービス方法およびそのシステムに関するものである。
【０００２】
【従来の技術】
従来、複数の情報通信端末の各ユーザが同じサービスを同じ時間に共有する方法のシステムとして次ぎのようなものが知られており、図１はその第１例のシステム、図２はその第２例のシステム、図３はその第３例のシステムを示している。
【０００３】
図１に示す従来技術の第１例のシステムは、情報通信端末を利用するユーザ間で、何をどのように利用しているかを、例えば電話やインスタントメッセージなどを用いて伝え合うものである。Ｗｅｂサーバへのアクセスを例に取ると、ＩＰ網１にはユーザＡの情報通信端末２１及びユーザＢの情報通信端末３１とＷＷＷサーバ５とそのミラーサーバであるＷＷＷサーバ５１が接続しており、相手端末のアドレスＵＲＬにより連絡しあいながら同一のサービスアプリケーションを使用する。この例の場合には、先ずステップ▲１▼でユーザＡが情報通信端末２１によりＷＷＷサーバ５におけるサービスアプリケーションのＵＲＬを指定して、ステップ▲２▼で情報通信端末２１がＷＷＷサーバ５から所望するサービスアプリケーションの情報を取得し、ステップ▲３▼で情報通信端末２１から前記取得したサービスアプリケーションのＵＲＬをユーザＢの情報通信端末３１に送信し、ステップ▲４▼でユーザＢが情報通信端末３１により、情報通信端末２１から送信されたＵＲＬに基づいてＷＷＷサーバ５、あるいはＷＷＷサーバ５のミラーサーバであるＷＷＷサーバ５１にアクセスして、これらのサーバから情報通信端末２１が取得したサービスアプリケーションの情報と同じ情報を取得する。ステップ▲３▼における送信は例えばインスタントメッセージ等によりＵＲＬ指定で行われる。情報通信端末３１はＷＷＷサーバ５から情報を取る場合もあれば、ＷＷＷサーバ５のミラーサーバであるＷＷＷサーバ５１から情報を取る場合もある。この図１の第１例のシステムの場合の利点は、端末マシンへの負担が軽減する点が挙げられる。
【０００４】
図２に示す従来技術の第２例のシステムは、例えば、ネットミーティング（Ｎｅｔ  Ｍｅｅｔｉｎｇ：商標登録）などのソフトウェアを用いることで達成されるもので、このシステムでは、ＩＰ網１にユーザＡの情報通信端末２２及びユーザＢの情報通信端末３２とＷＷＷサーバ５とそのミラーサーバであるＷＷＷサーバ５１が接続している。このシステムは、ＷＷＷサーバ５から端末２２がダウンロードしたアプリケーションを端末３２も共有して同期して共同使用するもので、例えばネットミーティングなどを使い、ステップ▲１▼で先ず情報通信端末２２と情報通信端末３２との間にてアプリケーション共有の確立をした後、ステップ▲２▼でユーザＡが情報通信端末２２によりＷＷＷサーバ５におけるサービスアプリケーションのＵＲＬを指定して、ステップ▲３▼で情報通信端末２２がＷＷＷサーバ５から所望するサービスアプリケーションの情報を取得し、ステップ▲４▼で情報通信端末３２は情報通信端末２２からサービスアプリケーションの情報を取得する。この図２のシステムの場合における利点としては、両ユーザの情報通信端末の画面表示が同期をとれること、情報通信端末２２によるユーザＡの手動作業が少なくて済むことが挙げられる（Ｎｅｔ  Ｍｅｅｔｉｎｇ（登録商標）によるアプリケーション共有に関しては、非特許文献１を参照）。
【０００５】
図３に示す従来技術の第３例のシステムは、例えば、グルーブワークスペース（Ｇｒｏｏｖｅ  Ｗｏｒｋｓｐａｃｅ：商標登録）などのソフトウェアを用いることでＰ２Ｐ（Ｐｅｅｒ  ｔｏ  Ｐｅｅｒ）技術として達成されるもので、このシステムではＩＰ網１にはユーザＡの情報通信端末２３及びユーザＢの情報通信端末３３が接続しており、ピアツピア（Ｐ２Ｐ）型の通信により、例えば情報通信端末２３および情報通信端末３３には共通のアプリケーションソフトがインストールしてあり、同じアプリケーション画面上で同期性のあるサービスを実施する（Ｇｒｏｏｖｅ  Ｗｏｒｋｓｐａｃｅ（商標登録）によるアプリケーション共有に関しては、非特許文献２を参照）。
【０００６】
【非特許文献１】
「プログラム共有」、マイクロソフト株式会社、〔ｏｎｌｉｎｅ〕、２０００年３月１４日掲載、〔２００３年２月１４日検索〕インターネット、＜ＵＲＬ  ：  ｈｔｔｐ：／／ｗｗｗ．ｍｉｃｒｏｓｏｆｔ．ｃｏｍ／ｊａｐａｎ／ｗｉｎｄｏｗｓ／ＮｅｔＭｅｅｔｉｎｇ／Ｈｏｍｅ／ＡｐｐＳｈａｒｅ／ｄｅｆａｕｌｔ．ｈｔｍ＞
【非特許文献２】
「Ｄｅｓｋｔｏｐ  Ｃｏｌｌａｂｏｒａｔｉｏｎ  ：  Ｇｒｏｏｖｅ  Ｗｏｒｋｓｐａｃｅ  ＋  Ｓｈａｒｅ  Ｐｏｉｎｔ」、Ｇｒｏｏｖｅ  Ｎｅｔｗｏｒｋｓ、〔ｏｎｌｉｎｅ〕、２００３年１月掲載、〔２００３年２月１４日検索〕インターネット、＜ＵＲＬ  ：  ｈｔｔｐ：／／ｗｗｗ．ｇｒｏｏｖｅ．ｎｅｔ／ｐｄｆ／ｂａｃｋｇｒｏｕｎｄｅｒ−ｐｒｏｄｕｃｔ．ｐｄｆ＞
【０００７】
【発明が解決しようとする課題】
図１の従来システムの場合における欠点としては、画面を見るタイミングがずれる、ミラーサーバ５１やバナー広告等アクセス場所やタイミングにより画面表示が異なる、さらに、情報通信端末２１および３１を利用するユーザは、何らかの動作を行う毎に相互に相手に対してインスタントメッセージ等によりＵＲＬ指定して通知する必要があることなどが挙げられる。
【０００８】
図２の従来システムの場合における欠点としては、この場合には、ＷＷＷサーバ５から端末２２がダウンロードしたアプリケーションを端末３２も共有して同期して共同使用し得るようにするために広帯域回線が必要、端末マシンへの負担が重い、ユーザ間で協調作業する場合における制御許可作業が面倒、などが挙げられる。
【０００９】
図３の従来システムの場合における欠点としては、この場合には、情報配信サービスを受ける各情報通信端末にＰ２Ｐ型の通信により共通のアプリケーションソフトをインストールしておく必要があり、端末マシンへの負担が重い、あるいは広帯域回線が必要などが挙げられる。
【００１０】
そこで本発明の目的は、上述したような点に鑑み、ユーザが自己の情報通信端末により指定したインターネット上の豊富なサービスコンテンツ情報を当該ユーザが指定した他の地点における他のユーザの情報通信端末に同期配信することにより、前記他のユーザへ共有環境の提供および一体感の向上を目指して同一性、同期性、即時性の環境を提供するための情報同期配信サービスシステムおよびその方法を提供することにある。
【００１１】
【課題を解決するための手段】
上記目的を達成するため、請求項１の発明は、ＩＰ網に接続された複数の情報通信端末のユーザが、前記ＩＰ網に接続されたサービス提供プロバイダが提供するアプリケーションサーバからサービスアプリケーションの情報を取得して同じサービスを同じ時間に共有するインターネットによる情報配信サービスシステムであって、当該情報配信サービスシステムは前記ＩＰ網に接続される情報同期配信支援サブシステムを含み、該情報同期配信支援サブシステムは、前記ユーザの情報通信端末からの相手先端末のアドレスや前記サービス提供プロバイダのアドレスを受け付けて互いに接続する通信サーバ接続手段およびサービスアプリケーションの情報をダウンロードする手段を有しているアドレス受付機能と、前記アプリケーションサーバからダウンロードした情報をサービス共有ユーザの情報通信端末に同時配信する情報配信機能とを備え、前記各ユーザの情報通信端末は、自端末及び他の情報通信端末に対する前記情報同期配信支援サブシステムからの情報配信制御形態を当該情報通信端末の画面上から選択できることを特徴とする情報同期配信サービスシステムにある。
【００１２】
また、請求項２の発明は、請求項１において、前記情報通信端末は、自端末の表示画面上で前記配信制御形態として、主導モード、協調モードおよびデュアルモードを含む複数のモード形態からいずれかを選択できることを特徴とする。
【００１３】
請求項３の発明は、請求項２において、前記情報通信端末は、自端末で指定した配信制御形態で自端末を含む複数の情報通信端末の画面上で同時に前記自端末が指定した提案サービスが提供されることを特徴とする。
【００１４】
請求項４の発明は、請求項１〜３のいずれかにおいて、前記情報同期配信支援サブシステムが情報同期配信向けサービスロケーション情報データベースも備え、該データベースからの情報がサービス共有ユーザの各情報通信端末に同時配信されることを特徴とする。
【００１５】
請求項５の発明は、請求項１〜４のいずれかにおいて、前記情報同期配信支援サブシステムが課金サーバ機能も備え、該課金サーバ機能が請求項１から請求項３のいずれかに記載の情報同期配信サービスに対するサービス課金を行うことを特徴とする。
【００１６】
請求項６の発明は、請求項５において、前記各ユーザの情報通信端末のサービス画面には広告が含まれ、該広告に広告事業者のＩＤを割り振り、前記課金サーバによってＩＤ毎にサービス画面への登場回数を集計し、任意の周期で、前記集計値から広告料を計算し、広告事業者指定の決済システムに広告料を請求することを特徴とする。
【００１７】
請求項７の発明は、ＩＰ網に接続された複数の情報通信端末のユーザが、前記ＩＰ網に接続されたサービス提供プロバイダが提供するアプリケーションサーバから情報を取得して同じサービスを同じ時間に共有するインターネットによる情報配信サービス方法であって、前記ＩＰ網には、前記ユーザの情報通信端末からの相手先端末のアドレスや前記サービス提供プロバイダのアドレスを受け付けて互いに接続する通信サーバ接続手段およびサービスアプリケーションの情報をダウンロードする手段を有しているアドレス受付機能と、情報同期配信向けサービスロケーション情報データベースと、前記アプリケーションサーバからあるいは情報同期配信向けサービスロケーション情報データベースからダウンロードした情報をサービス共有ユーザの情報通信端末に同時配信する情報配信機能とを備えている情報同期配信支援サブシステムが接続されており、前記情報通信端末は、自端末および他の情報通信端末に対する前記情報同期配信支援サブシステムからの情報配信制御形態を当該所通信端末の画面上から選択するステップと、前記情報配信制御形態を画面上から指定して当該情報通信端末を含む複数の情報通信端末の画面上で当該情報通信端末が指定した提案サービスを同時に受けるステップと、を含むことを特徴とする情報同期配信サービス方法にある。
【００１８】
請求項８の発明は、請求項７において、前記情報同期配信支援サブシステムが課金サーバ機能も備え、該課金サーバ機能が請求項８に記載の情報同期配信サービスに対するサービス課金を行うステップと、前記課金サーバ機能によって集計されたサービスの量に対する対価としての代金のやり取りが広告主と当該サービスの提供者間で行うステップと、を含むことを特徴とする。
【００１９】
請求項９の発明は、ＩＰ網に接続された複数の情報通信端末のユーザが、前記ＩＰ網に接続された情報同期配信支援サブシステムを介して、同じく前記ＩＰ網に接続されたアプリケーションサーバから情報を取得して同じサービスを同じ時間に共有するインターネットによる情報同期配信サービスのための処理をコンピュータに実行させるためのプログラムであって、前記情報通信端末が、自端末および他の情報通信端末に対する前記情報同期配信支援サブシステムからの情報配信制御形態を当該所通信端末の画面上から選択するための処理と、前記情報配信制御形態を画面上から指定して当該情報通信端末を含む複数の情報通信端末の画面上で当該情報通信端末が指定した提案サービスを同時に受けるための処理と、をコンピュータに実行させるためのプログラムにある。
【００２０】
請求項１０の発明は、ＩＰ網に接続された複数の情報通信端末のユーザが、前記ＩＰ網に接続された情報同期配信支援サブシステムを介して、同じく前記ＩＰ網に接続されたアプリケーションサーバから情報を取得して同じサービスを同じ時間に共有するインターネットによる情報同期配信サービスのための処理をコンピュータに実行させるためのプログラムを記録した記録媒体であって、前記情報通信端末が、自端末および他の情報通信端末に対する前記情報同期配信支援サブシステムからの情報配信制御形態を当該所通信端末の画面上から選択するための処理と、前記情報配信制御形態を画面上から指定して当該情報通信端末を含む複数の情報通信端末の画面上で当該情報通信端末が指定した提案サービスを同時に受けるための処理と、をコンピュータに実行させるためのプログラムを記録した記録媒体にある。
【００２１】
【発明の実施の形態】
以下、本発明の実施形態について図面を参照して詳細に説明する。
【００２２】
図４は、本実施形態に係る情報同期配信サービスシステムの全体の構成例を示したもので、ＩＰ網１には、ユーザＡの情報通信端末２及びユーザＢの情報通信端末３と、アプリケーションサーバ１０としてサービスプロバイダが提供するファイルサーバ４、ＷＷＷサーバ５およびネットワークゲームサーバ６と、情報同期配信支援サブシステ７とが接続され、これらは相互にＩＰ通信可能な状態にある。
【００２３】
ユーザＡとＢとは情報通信端末２あるいは３の画面（図５）から配信制御形態（モード）を選び、受けたいサービスアプリケーションのアドレスを指定する。情報同期配信支援サブシステム７は、後に詳述するように、ユーザＡまたはＢが指定したサービスアプリケーションのアドレスを受付け、次いでこのアドレスに基づいてアプリケーションサーバ１０から前記サービスアプリケーションのコンテンツを取得して、このコンテンツを前出の選ばれた配信制御形態で動作するように加工したもの、または直接コンテンツを情報通信端末２および情報通信端末３に配信する。
【００２４】
情報通信端末２および情報通信端末３が情報同期配信支援サブシステム７から受け取った前記配信のコンテンツ画面は、同一の装置の情報配信機能７１からのものであるので完全に同期がとれたものとすることが可能である。
【００２５】
本発明の効果としては、両ユーザＡおよびＢの端末画面表示が常に同期がとれる、端末マシンへの負担が軽い、端末マシンの通信機能が狭帯域でも利用可能、端末から配信制御形態（主導／協調／デュアルの各モード）を選択可能、である。
【００２６】
ユーザが情報通信端末２あるいは３の表示画面上で配信制御形態を設定する画面を図５に示しており、ユーザは主導モードと協調モードとデュアルモードを含む複数のモード形態からいずれかを選択し設定することができる。主導モードは、画面アクセスあるいは画面上のアクティブ権が情報通信端末２あるいは３のいずれか一方のみであり、協調モードでは画面アクセスあるいは画面上のアクティブ権が情報通信端末２と３の両方にあり、デュアルモードは一つの画面が二つに分れており、例えばそれぞれの画面をそれぞれの主導モードで動かすことも、協調モードで動かすことも可能である。
【００２７】
図６は本発明の実施例による情報同期配信サービスシステムの動作を説明するシーケンス図である。なお、図６の縦軸の下方向が時間経過を示し、横軸にはユーザＡの情報通信端末２、ユーザＢの情報通信端末３、情報同期配信支援サブシステム７、サービスプロバイダが提供するアプリケーションサーバ１０が指定してある。
【００２８】
ユーザＡとＢがデュアルモード（２画面共有）または主導モード（１画面共有）でサービスを同じ時間に共有する場合につき説明する。
【００２９】
ステップ１：ユーザＡは情報通信端末２より、アプリケーションサーバ１０から受けたいサービスにログインするために情報同期配信支援サブシステム７にアクセスし、ユーザＢの情報通信端末３との同期サービスを申し込む。
ステップ２：情報同期配信支援サブシステム７は、情報通信端末３に情報通信末２からの申し込みを伝え、了承するかどうかを尋ね、情報通信端末３の承認を得る。
ステップ３：情報同期配信支援サブシステム７は本サービスのユーザ同期の設定が完了したことを情報通信端末３に伝える。
ステップ４：情報同期配信支援サブシステム７は本サービスのユーザ同期の設定が完了したことを情報通信端末２に伝える。
ステップ５：情報通信端末２が情報同期配信支援サブシステム７に対してモード指定（デュアルモード，主導モード）を行う。
ステップ６：情報通信端末２が情報同期配信支援サブシステム７に対してアプリケーションサーバ１０におけるコンテンツ１のアドレス（ＨＴＴＰ，ＦＴＰ，ＷＭＴ等）を指定する。
ステップ７：情報同期配信支援サブシステム７はアプリケーションサーバ１０からコンテンツ１を取得する。
ステップ８：情報同期配信支援サブシステム７はステップ７で取得したコンテンツ１を情報通信端末３に配信する。
ステップ９：情報同期配信支援サブシステム７はステップ７で取得したコンテンツ１を情報通信端末２に配信する。
ステップ１０：情報通信端末３が情報同期配信支援サブシステム７に対してコンテンツ２のアドレス（ＨＴＴＰ，ＦＴＰ，ＷＭＴ等）を指定する。
ステップ１１：情報同期配信支援サブシステム７はアプリケーションサーバ１０からコンテンツ２を取得する。
ステップ１２：情報同期配倍支援サブシステム７はステップ１１で取得したコンテンツ１を情報通信端末３に配信する。
ステップ１３：情報同期配信支援サブシステム７はステップ１１で取得したコンテンツ１をステップ１２と同時、もしくはその直後に情報通信端末２に配信する。
【００３０】
以上のステップによりデュアルモード（２画面共有）でのサービスが開始する。
【００３１】
ステップ１４：主導権保持者である情報通信端末２はコンテンツ３のアドレス（ＨＴＴＰ、ＦＴＰ、ＷＭＴ等）を指定する。
ステップ１５：情報同期配信支援サブシステム７はアプリケーションサーバ１０からコンテンツ３を取得する。
ステップ１６：情報同期配信支援サブシステム７はステップ１５で取得したコンテンツ３を情報通信端末３に配信する。
ステップ１７：情報同期配信支援サブシステム７はステップ１５で取得したコンテンツ１を情報通信端末２に配信する。
【００３２】
以上のステップにより主導権保持者を情報通信端末２とする主導モードによる１画面共有のサービスが開始する。
【００３３】
上述した図６のシーケンスに基づく本発明の手法は、コンピュータに実行させることのできるプログラムとして、磁気ディスク（フロッピー（登録商標）ディスク、ハードディスク等）、光ディスク（ＣＤ−ＲＯＭ、ＤＶＤ等）、半導体メモリなどの記憶媒体に格納して頒布することもできる。
【００３４】
情報同期配信支援サブシステム７は本発明のサービスを主催するシステムであり、情報配信機能７１とアドレス受付機能７２と課金サーバ７３と情報同期配信向けサービスロケーション情報データベース７４を備えている。
【００３５】
アドレス受付機能７２は、情報通信端末２や３からの相手先端末のアドレスやサービス提供プロバイダのアドレス（ＨＴＴＰ，ＦＴＰ，ＷＭＴ等）を受け付けて接続する通信サーバの機能や情報をダウンロードする機能を有している。
【００３６】
情報配信機能７１はサービス提供プロバイダやアプリケーションサーバ１０からダウンロードした情報、あるいは情報同期配信向けサービスロケーション情報データベース７４から引き出した情報を情報通信端末２や３に同時配信する。
【００３７】
情報同期配信向けサービスロケーション情報データベース７４は、外部のアプリケーションサーバ１０であるファイルサーバ４やＷＷＷサーバ５やネットワークゲームサーバ６で提供されるサービス情報でロケーション、すなわちアドレスが分からない場合などに使用され、例えば、カップル向けホームページ情報、旅行代理店チケット情報、ショッピング情報、シェアウェアゲーム紹介情報などがデータベース化されている。
【００３８】
課金サーバ機能７３は、情報配信機能７１が計数した情報量をもとに、サービス課金のデータを算出する。図４の実施例図では課金サーバ機能７３は情報同期配信支援サブシステム７に含まれているが、ＩＰ網１あるいはその他の外部機能が課金データを算出して、該課金データにより広告主８と本情報同期配信サービスの提供会社間で、代金のやりとり行うこともできる。
【００３９】
図７は本発明のサービスの効果を説明する図であり、従来技術としての前記従来の第１例システム（１）のＷｅｂブラウジングとアドレス連絡の組合わせと、前記従来の第２例システム（２）のアプリケーション共有（ＮｅｔＭｅｅｔｉｎｇ：登録商標）による同期と、前記従来の第３例システム（３）のＰ２Ｐ利用（Ｇｒｏｏｖｅ  Ｗｏｒｋｓｐａｃｅ（登録商標）等）と、本発明情報同期配信サービスの３者間の比較を同一性、同期性、即時性、および端末性能要求、回線性能要求について行ったものである。
【００４０】
従来のシステム（１）は端末および回線への性能要求の面ではよいが、同一性、同期性、即時性の面では不満足であり、従来のシステム（２）は同一性、同期性の面では良いが、端末および回線への性能要求の面では不満足であり、従来のシステム（３）は回線性能要求、同期性の面では良いが、端末性能要求の面では不満足であり、本発明の情報同期配信サービスでは同一性、同期性、即時性の面でも端末および回線への性能要求の面でもよく、従来のシステム（１），（２），（３）に比べて本発明のサービスが優れている。本発明を用いることで、例えばＷＷＷブラウジングでは情報同期のユーザ連携が可能であり、ネットワークゲームではアプリケーションデータの同時貸出しが、ストリーミング配信では音楽やビデオの同時配信が可能となる。
【００４１】
図８は本発明のビジネスモデルの一例を説明する図である。
【００４２】
ユーザＡ／Ｂが情報通信端末２や３で見る画面には広告が掲載される、あるいはＷｅｂ広告が掲載の広告メールが配られることを条件に本サービスのシステム利用料を無料でサービスする。サービス提供会社は、例えばＩＰ網１の運営会社であり、あるいは情報同期配信支援サブシステム７の運営会社であり、広告主８に広告枠を提供して課金サーバ７３の提示する広告料金をもらう、あるいは有力で集客力のある映画やアニメを提供してもらって幾ばくかのソフト提供料を課金サーバ７３の提示するデータをもとに支払う。サービス提供会社は加入者が増加して通信料金の増加が見込めトータルで利益を得ることが可能である。
【００４３】
情報配信機能７１によって集計されたサービスの量に対する対価を課金サーバ機能７３により広告料から算出し、代金のやりとりを広告主と該サービスの提供者間で行う。その方法として、広告に広告事業者のＩＤを割り振り、ＩＤ毎にサービス画面への登場回数を情報配信機能７１が任意の周期で集計する方法がある。
【００４４】
情報配信機能７１が計数した情報量をもとにサービス課金のデータを算出するステップの後、該データをもとに広告主と本情報同期配信サービスの提供会社間で、代金のやりとりのステップを実行する。課金サーバ機能７３では、前出の集計値から広告料を計算し、広告事業者指定の決済システムに広告料を請求する。集計値から広告料を計算する方法として、“広告料＝集計値×広告１つあたりの価格”など集計値依存の関数を用いる方法や、集計値による価格表（例えばＸ回未満はＭｌ、Ｘ回以上Ｙ回未満はＭ２、Ｙ回以上はＭ３）などにより価格の算出を行う方法などがある。
【００４５】
【発明の効果】
本発明によれば、これまでの技術を用いた情報同期配信よりも、「同一性」、「同期性」、「即時性」を提供できることから、より強い共有感を得ることができる。
【００４６】
さらに本発明によれば、配信制御形態（主導モード／協調モード／デュアルモード）をユーザの情報通信端末上から選択可能であり、また、端末マシンへの負担が軽く、かつ狭帯域でも利用可能である。さらに、広帯域が必要なネットミーティング等を用いたアプリケーション共有をすることなくビデオチャットやインスタントメッセージサービスを受けることができる。
【図面の簡単な説明】
【図１】従来の情報同期配信システムの第１例の構成を示す図である。
【図２】従来の情報同期配信システムの第２例の構成を示す図である。
【図３】従来の情報同期配信システムの第３例の構成を示す図である。
【図４】本発明による情報同期配信システムの構成を示す図である。
【図５】本発明のサービス画面イメージを示す図である。
【図６】本発明のサービスシステム動作シーケンスの例を示す図である。
【図７】本発明のサービスの効果を示す図である。
【図８】本発明のビジネスモデルを示す図である。
【符号の説明】
１  ＩＰ網
２，３  ユーザの情報通信端末
４  ファイルサーバ
５  ＷＷＷサーバ
６  ネットワークゲームサーバ
７  情報同期配信支援サブシステム
８  広告主
１０  アプリケーションサーバ
７１  情報配信機能
７２  アドレス受付機能
７３  課金サーバ機能
７４  情報同期配信向けサービスロケーション情報のデータベース
【図１】
2004310412.tif 000003
【図２】
2004310412.tif 000004
【図３】
2004310412.tif 000005
【図４】
2004310412.tif 000006
【図５】
2004310412.tif 000007
【図６】
2004310412.tif 000008
【図７】
2004310412.tif 000009
【図８】
2004310412.tif 000010